(57)【特許請求の範囲】
【請求項１】
枠の内周側に見付け方向に沿って延在する見付けヒレ部を有し、前記見付けヒレ部との間及び前記枠に装着した押縁との間にそれぞれガスケットを介在させた状態で固定面材を挟持した建具において、
前記押縁は、前記固定面材を挟んで前記枠の見付けヒレ部に対向して配置される挟持ヒレ部と、前記挟持ヒレ部の外周側に位置する部分から前記枠の見付けヒレ部に向けて延在するカバーヒレ部と、前記カバーヒレ部から前記枠の内周側に向うに従って前記挟持ヒレ部との相互間隔が漸次増大するように傾斜して延在する傾斜ヒレ部と、前記傾斜ヒレ部から前記枠の内周側に向けて延在する係合ヒレ部とを有して構成され、
前記枠の見付けヒレ部には、前記押縁の挟持ヒレ部が前記枠の見付けヒレ部に対向して配置された場合に前記押縁の係合ヒレ部の延在縁部が挿入することによって係合可能となる押縁係合部が設けられ、
前記押縁係合部は、前記枠の見付けヒレ部から見込み方向に沿って突出した突出部と、前記突出部から外周側に向けて屈曲した舌片とを有した鉤状を成し、
前記係合ヒレ部は、前記舌片に係合された状態において前記枠の見付けヒレ部に当接されていることを特徴とする建具。
【請求項２】
前記枠の見付けヒレ部には、内周側の縁部にガスケットを装着するためのガスケット装着溝が形成してあるとともに、前記ガスケット装着溝よりも外周側となる部位に前記押縁係合部を設けたことを特徴とする請求項１に記載の建具。
【請求項３】
前記押縁係合部は、前記枠の見付けヒレ部との間に前記押縁の係合ヒレ部を挿入した状態で前記押縁の挟持ヒレ部と前記固定面材との間にガスケットを挿入した場合に前記ガスケットの弾性力によって前記押縁の係合ヒレ部が圧接されることを特徴とする請求項１に記載の建具。
【請求項４】
前記ガスケット装着溝は、前記突出部の突出端面に形成したものであり、
前記押縁係合部は、前記枠の見付けヒレ部との間に前記押縁の係合ヒレ部を挿入した状態で前記押縁の挟持ヒレ部と前記固定面材との間にガスケットを挿入した場合に前記ガスケットの弾性力によって前記押縁の係合ヒレ部が圧接されることを特徴とする請求項２に記載の建具。
【請求項５】
枠の内周側に見付け方向に沿って延在する見付けヒレ部を有し、前記見付けヒレ部との間及び前記枠に装着した押縁との間にそれぞれバックアップ材及びシーリング材を介在させた状態で固定面材を挟持した建具において、
前記押縁は、前記固定面材を挟んで前記枠の見付けヒレ部に対向して配置される挟持ヒレ部と、前記挟持ヒレ部の外周側に位置する部分から前記枠の見付けヒレ部に向けて延在するカバーヒレ部と、前記カバーヒレ部から前記枠の内周側に向うに従って前記挟持ヒレ部との相互間隔が漸次増大するように傾斜して延在する傾斜ヒレ部と、前記傾斜ヒレ部から枠の内周側に向けて延在する係合ヒレ部とを有して構成され、
前記枠の見付けヒレ部には、前記押縁の挟持ヒレ部が前記枠の見付けヒレ部に対向して配置された場合に前記押縁の係合ヒレ部の延在縁部が挿入することによって係合可能となる押縁係合部が設けられ、
前記押縁係合部は、前記枠の見付けヒレ部から見込み方向に沿って突出した突出部と、前記突出部から外周側に向けて屈曲した舌片とを有した鉤状を成し、
前記係合ヒレ部は、前記舌片に係合された状態において前記枠の見付けヒレ部に当接されていることを特徴とする建具。
【請求項６】
前記押縁は、前記係合ヒレ部が前記枠の押縁係合部に係合した場合に前記カバーヒレ部が前記枠の内周側に位置する見込み面に当接することを特徴とする請求項３〜請求項５のいずれか一つに記載の建具。
【請求項７】
左右の縦枠に前記見付けヒレ部及び前記押縁係合部を設けるとともに、前記左右の縦枠の間に無目枠を架設し、前記無目枠と上下の横枠の一方と前記左右の縦枠とによって構成される開口枠においては、前記押縁係合部に押縁を係合させることによって前記見付けヒレ部と前記押縁との間に前記固定面材を挟持させ、かつ前記無目枠と前記上下の横枠の他方と前記左右の縦枠とによって構成される開口枠においては、開閉機構を介して可動面材を開閉可能に支持させたことを特徴とする請求項１に記載の建具。
【発明の詳細な説明】
【技術分野】
【０００１】
本発明は、建具に関するもので、詳細には、ガラス等の固定面材を枠に支持させた、いわゆるＦＩＸ（はめ殺し）窓と称される建具に関するものである。
【背景技術】
【０００２】
ＦＩＸ窓と称される建具では、枠の見付けヒレ部と押縁との間にそれぞれガスケットを介してガラス等の固定面材が挟持されている。見付けヒレ部は、枠の内周側に位置する見込み面から見付け方向に沿って突出した薄板状部分であり、枠と一体に成形されている。見付けヒレ部の突出縁部において固定面材に対向する部位には、ガスケットを装着するためのガスケット装着溝が形成されている。押縁は、枠とは別体に成形され、枠に設けた係合突起に係合することによって枠に装着されるものである。押縁には、内周側縁部にガスケットが装着してある。枠の係合突起は、枠の内周側に位置する見込み面において固定面材を挟んで見付けヒレ部に対応する部位に設けられている。
【０００３】
ＦＩＸ窓を組み立てる場合には、見付けヒレ部のガスケット装着溝にガスケットを装着した状態で固定面材を枠に配置し、固定面材の表面をガスケットに当接させる。この状態から枠の係合突起に押縁を係合し、ガスケットを固定面材のもう一方の表面に当接させれば、ガスケットを介して見付けヒレ部と押縁との間に固定面材が挟持されることになる（例えば、特許文献１参照）。
【先行技術文献】
【特許文献】
【０００４】
【特許文献１】特開２０１２−５２３４１号公報
【発明の概要】
【発明が解決しようとする課題】
【０００５】
ところで、上述のＦＩＸ窓においては、枠の内周側に位置する見込み面から見付けヒレ部及び係合突起が突設されている。従って、枠に対して可動面材が面外方向に向けて開閉される開き窓やすべり出し窓（以下においては便宜上、これらの窓を総称して「開き系窓」という）にＦＩＸ窓の枠を適用した場合には、可動面材を開閉する際に係合突起に干渉する懸念がある。このため、開き系窓の枠を構成するには、ＦＩＸ窓の枠を共用することはできず、開き系窓の枠を専用に設計、製造する必要があり、製造コストを考慮した場合、必ずしも好ましいとはいえない。
【０００６】
同様に、ＦＩＸ窓及び開き系窓を上下に並設した段窓を構成する場合には、縦枠が２つの窓にわたって配置されることになる。従って、例えば開き系窓となる部分に係合突起を覆い隠すための専用の補助枠体を装着して可動面材との干渉を避けなければならず、製造コストが増大する事態を来すおそれがある。
【０００７】
本発明は、上記実情に鑑みて、製造コストを低減すべく、ＦＩＸ窓と開き系窓との間の枠の共用化を図ることのできる建具を提供することを目的とする。
【課題を解決するための手段】
【０００８】
上記目的を達成するため、本発明に係る建具は、枠の内周側に見付け方向に沿って延在する見付けヒレ部を有し、前記見付けヒレ部との間及び前記枠に装着した押縁との間にそれぞれガスケットを介在させた状態で固定面材を挟持した建具において、前記押縁は、前記固定面材を挟んで前記枠の見付けヒレ部に対向して配置される挟持ヒレ部と、前記挟持ヒレ部の外周側に位置する部分から前記枠の見付けヒレ部に向けて延在するカバーヒレ部と、前記カバーヒレ部から前記枠の内周側に向うに従って前記挟持ヒレ部との相互間隔が漸次増大するように傾斜して延在する傾斜ヒレ部と、前記傾斜ヒレ部から前記枠の内周側に向けて延在する係合ヒレ部とを有して構成され、前記枠の見付けヒレ部には、前記押縁の挟持ヒレ部が前記枠の見付けヒレ部に対向して配置された場合に前記押縁の係合ヒレ部の延在縁部が挿入することによって係合可能となる押縁係合部が設けられ、前記押縁係合部は、前記枠の見付けヒレ部から見込み方向に沿って突出した突出部と、前記突出部から外周側に向けて屈曲した舌片とを有した鉤状を成し、前記係合ヒレ部は、前記舌片に係合された状態において前記枠の見付けヒレ部に当接されていることを特徴とする。
【０００９】
この発明によれば、押縁を枠に係合させるための押縁係合部を見付けヒレ部に設けるようにしているため、枠の内周側に位置する見込み面において固定面材を挟んで見付けヒレ部に対応する部位に突出する部分を設ける必要がない。従って、この枠に開閉機構を介して可動面材を支持させれば、可動面材と枠との干渉を来すおそれがなく、開き系窓を構成することが可能となる。
【００１０】
また本発明は、上述した建具において、前記枠の見付けヒレ部には、内周側の縁部にガスケットを装着するためのガスケット装着溝が形成してあるとともに、前記ガスケット装着溝よりも外周側となる部位に前記押縁係合部を設けたことを特徴とする。
【００１１】
この発明によれば、ガスケットを介して枠の見付けヒレ部を固定面材の表面に当接させることができる。
【００１２】
また本発明は、上述した建具において、前記押縁係合部は、前記枠の見付けヒレ部との間に前記押縁の係合ヒレ部を挿入した状態で前記押縁の挟持ヒレ部と前記固定面材との間にガスケットを挿入した場合に前記ガスケットの弾性力によって前記押縁の係合ヒレ部が圧接されることを特徴とする。
【００１３】
この発明によれば、ガスケットの弾性力によって押縁の係合ヒレ部が枠の押縁係合部に圧接されるため、押縁がガタ付いたり脱落する事態を招来するおそれがない。
【００１４】
また本発明は、上述した建具において、前記ガスケット装着溝は、前記突出部の突出端面に形成したものであり、前記押縁係合部は、前記枠の見付けヒレ部との間に前記押縁の係合ヒレ部を挿入した状態で前記押縁の挟持ヒレ部と前記固定面材との間にガスケットを挿入した場合に前記ガスケットの弾性力によって前記押縁の係合ヒレ部が圧接されることを特徴とする。
【００１５】
この発明によれば、ガスケットを介して枠の見付けヒレ部を固定面材の表面に当接させることができ、かつガスケットの弾性力によって押縁の係合ヒレ部が枠の押縁係合部に圧接されるため、押縁がガタ付いたり脱落する事態を招来するおそれがない。
【００１６】
また、本発明に係る建具は、枠の内周側に見付け方向に沿って延在する見付けヒレ部を有し、前記見付けヒレ部との間及び前記枠に装着した押縁との間にそれぞれバックアップ材及びシーリング材を介在させた状態で固定面材を挟持した建具において、前記押縁は、前記固定面材を挟んで前記枠の見付けヒレ部に対向して配置される挟持ヒレ部と、前記挟持ヒレ部の外周側に位置する部分から前記枠の見付けヒレ部に向けて延在するカバーヒレ部と、前記カバーヒレ部から前記枠の内周側に向うに従って前記挟持ヒレ部との相互間隔が漸次増大するように傾斜して延在する傾斜ヒレ部と、前記傾斜ヒレ部から枠の内周側に向けて延在する係合ヒレ部とを有して構成され、前記枠の見付けヒレ部には、前記押縁の挟持ヒレ部が前記枠の見付けヒレ部に対向して配置された場合に前記押縁の係合ヒレ部の延在縁部が挿入することによって係合可能となる押縁係合部が設けられ、前記押縁係合部は、前記枠の見付けヒレ部から見込み方向に沿って突出した突出部と、前記突出部から外周側に向けて屈曲した舌片とを有した鉤状を成し、前記係合ヒレ部は、前記舌片に係合された状態において前記枠の見付けヒレ部に当接されていることを特徴とする。
【００１７】
この発明によれば、押縁を枠に係合させるための押縁係合部を見付けヒレ部に設けるようにしているため、枠の内周側に位置する見込み面において固定面材を挟んで見付けヒレ部に対応する部位に突出する部分を設ける必要がない。従って、この枠に開閉機構を介して可動面材を支持させれば、可動面材と枠との干渉を来すおそれがなく、開き系窓を構成することが可能となる。
【００１８】
また本発明は、上述した建具において、前記押縁は、前記係合ヒレ部が前記枠の押縁係合部に係合した場合に前記カバーヒレ部が前記枠の内周側に位置する見込み面に当接することを特徴とする。
【００１９】
この発明によれば、カバーヒレ部が枠の内周側に位置する見込み面に当接することにより、押縁の係合ヒレ部が枠の押縁係合部から逸脱する方向の移動が規制されるため、押縁の脱落をより確実に防止することができるようになる。
【００２０】
また本発明は、上述した建具において、左右の縦枠に前記見付けヒレ部及び前記押縁係合部を設けるとともに、前記左右の縦枠の間に無目枠を架設し、前記無目枠と上下の横枠の一方と前記左右の縦枠とによって構成される開口枠においては、前記押縁係合部に押縁を係合させることによって前記見付けヒレ部と前記押縁との間に前記固定面材を挟持させ、かつ前記無目枠と前記上下の横枠の他方と前記左右の縦枠とによって構成される開口枠においては、開閉機構を介して可動面材を開閉可能に支持させたことを特徴とする。
【００２１】
この発明によれば、縦枠に補助枠体を装着することなく、上下にＦＩＸ窓及び開き系窓を並設した段窓を構成することができる。
【発明の効果】
【００２２】
本発明によれば、押縁を枠に係合させるための押縁係合部を見付けヒレ部に設けるようにしているため、枠の内周側に位置する見込み面において固定面材を挟んで見付けヒレ部に対応する部位に突出する部分を設ける必要がない。従って、この枠に開閉機構を介して可動面材を支持させれば、可動面材と枠との干渉を来すおそれがなく、開き系窓を構成することができる。この結果、ＦＩＸ窓と開き系窓との間で枠を共用化することができ、製造コストを低減することが可能となる。
【図面の簡単な説明】
【００２３】
【図１】図１は、本発明の実施の形態である建具を室外側から見た図である。
【図２】図２は、図１に示した建具の縦断面図である。
【図３】図３は、図１に示した建具の上方に構成されるＦＩＸ窓の横断面図である。
【図４】図４は、図１に示した建具の下方に構成される縦すべり出し窓の横断面図である。
【図５】図５は、図１に示した建具の枠体のみを示す縦断面図である。
【図６】図６は、図１に示した建具の枠体のみを示す横断面図である。
【図７】図７は、図１に示した建具に適用する押縁の拡大端面図である。
【図８】図８は、図７に示した押縁の装着手順を示したもので、（ａ）は押縁の係合ヒレ部を見付けヒレ部と押縁係合部の舌片との間に挿入した状態の要部断面図、（ｂ）はカバーヒレ部を枠の見込み面に近接させた状態の要部断面図、（ｃ）はカバーヒレ部を枠の見込み面に対向配置した状態の要部断面図、（ｄ）は押縁とＦＩＸ用ガラスとの間にガスケットを装着した状態の要部断面図である。
【図９】図９は、図１に示した建具の変形例１を室外側から見た図である。
【図１０】図１０は、図９に示した変形例１の建具の縦断面図である。
【図１１】図１１は、図１に示した建具の変形例２を室外側から見た図である。
【図１２】図１２は、図１１に示した変形例２の建具の縦断面図である。
【図１３】図１３は、図１に示した建具の変形例３を室外側から見た図である。
【図１４】図１４は、図１３に示した変形例３の建具の縦断面図である。
【図１５】図１５は、図１に示した変形例４の建具を示したもので、（ａ）はＦＩＸ用ガラスと見付けヒレ部との間及びＦＩＸ用ガラスと押縁との間にそれぞれバックアップ材を介在させた状態の要部断面図、（ｂ）はＦＩＸ用ガラスと見付けヒレ部との間及びＦＩＸ用ガラスと押縁との間にそれぞれシーリング材を介在させた状態の要部断面図である。
【発明を実施するための形態】
【００２４】
以下、添付図面を参照しながら本発明に係る建具の好適な実施の形態について詳細に説明する。
【００２５】
図１〜図４は、本発明の実施の形態である建具を示したものである。ここで例示する建具は、ＦＩＸ（はめ殺し）窓Ａと、室外側に開く縦すべり出し窓Ｂとが上下に並設された段窓と称されるもので、特にビルの窓用に構成したものである。この建具は、ＦＩＸ用ガラス（固定面材）１０、可動障子（可動面材）２０及び枠体３０を備えている。ＦＩＸ用ガラス１０は、外形が矩形の複層ガラスである。
【００２６】
可動障子２０は、ＦＩＸ用ガラス１０と同様の矩形状を成す複層ガラス２１と、複層ガラス２１の四周に装着した上框２２、下框２３及び左右の縦框２４とを備えて構成したものである。可動障子２０を構成する個々の框２２，２３，２４は、アルミニウム合金等の金属によって成形した押し出し形材であり、それぞれが全長に渡ってほぼ一様な断面形状を有するように構成してある。本実施の形態の可動障子２０では、図４に示すように、左右の縦框２４として見込み面にガラス収容溝２４ａを有したものを適用している。それぞれの縦框２４には、ガラス収容溝２４ａの内壁面と複層ガラス２１の表面との間にガスケット２５を介在させた状態で複層ガラス２１の縁部が収容してある。これに対して可動障子２０の上框２２及び下框２３としては、図２に示すように、内周側の見込み面に当接ヒレ部２２ａ，２３ａ及び一対のフックヒレ部２２ｂ，２３ｂを有したものを適用している。これらの上框２２及び下框２３には、当接ヒレ部２２ａ，２３ａとの間及びフックヒレ部２２ｂ，２３ｂに装着した框用押縁２６との間にそれぞれガスケット２７，２８を介在させた状態で複層ガラス２１の縁部が収容してある。
【００２７】
枠体３０は、図１〜図４に示すように、上枠３１、下枠３２、左右の縦枠３３を四周枠組みすることによって矩形状に構成したものである。図１からも明らかなように、本実施の形態で例示する枠体３０は、左右の縦枠３３の間に上枠３１、下枠３２を配置することによって構成した、いわゆる「縦通し枠」と称されるものである。枠体３０の内部には、左右の縦枠３３の間に上枠３１と平行となるように無目枠３４を配設することによって上下２つの開口枠３０Ａ，３０Ｂが構成してある。すなわち、無目枠３４よりも下方となる部位には、可動障子２０を装着することのできる下部開口枠３０Ｂが構成してあり、無目枠３４よりも上方となる部位には、ＦＩＸ用ガラス１０を装着することのできる上部開口枠３０Ａが構成してある。枠体３０を構成するそれぞれの枠３１，３２，３３，３４は、アルミニウム合金等の金属によって成形した押し出し形材であり、それぞれが全長に渡ってほぼ一様な断面形状を有するように構成してある。枠３１，３２，３３，３４の見込み方向に沿った寸法は、可動障子２０の見込み方向に沿った寸法のほぼ２倍となるように設定してある。
【００２８】
図５及び図６に示すように、枠体３０を構成する上枠３１、下枠３２、左右の縦枠３３は、それぞれ見付け方向に沿って延在する見付けヒレ部３１ａ，３２ａ，３３ａを有したものである。図５に示すように、上枠３１及び下枠３２では、外方基板部３１ｂ，３２ｂと内方基板部３１ｃ，３２ｃとの段差となる部分に見付けヒレ部３１ａ，３２ａが構成してある。すなわち、上枠３１及び下枠３２には、室外側に位置する部分に見込み方向に沿って外方基板部３１ｂ，３２ｂが設けてあるとともに、室内側に位置する部分に見込み方向に沿って内方基板部３１ｃ，３２ｃが設けてある。図５に示すように、内方基板部３１ｃ，３２ｃは、外方基板部３１ｂ，３２ｂに対して各開口枠３０Ａ，３０Ｂの内周側に突出しており、互いの段差となる部分を連絡するように見付けヒレ部３１ａ，３２ａが設けてある。これに対して左右の縦枠３３では、図６に示すように、互いに同一の平面上に位置する室外側の外方基板部３３ｂと室内側の内方基板部３３ｃとを仕切る位置に見付け方向に沿って見付けヒレ部３３ａが突設してある。
【００２９】
図２からも明らかなように、無目枠３４は、上枠３１に対向する見込み面に下枠３２の見込み面と同様の構成を有し、かつ下枠３２に対向する見込み面に上枠３１の見込み面と同様の構成を有したものである。従って、本実施の形態では、無目枠３４において上枠３１の見込み面と同様の構成については上枠３１と同一の符号を付し、かつ下枠３２の見込み面と同様の構成については下枠３２と同一の符号を付すことにより、それぞれの詳細説明を省略することとする。
【００３０】
図２〜図４に示すように、下部開口枠３０Ｂは、外方基板部３１ｂ，３２ｂ，３３ｂによって構成される空間が可動障子２０の外形寸法よりも大きな寸法を有し、上部開口枠３０Ａは、外方基板部３１ｂ，３２ｂ，３３ｂによって構成される空間がＦＩＸ用ガラス１０の外形寸法よりも大きな寸法を有するように構成してある。一方、下部開口枠３０Ｂの内周側に突出する見付けヒレ部３１ａ，３２ａ，３３ａは、四周が同時に可動障子２０の各框２２，２３，２４に当接することができ、かつ上部開口枠３０Ａの内周側に突出する見付けヒレ部３１ａ，３２ａ，３３ａは、四周が同時にＦＩＸ用ガラス１０の周縁部表面に当接することができるようにそれぞれの寸法が設定してある。
【００３１】
図５及び図６に示すように、それぞれの枠３１，３２，３３，３４の見付けヒレ部３１ａ，３２ａ，３３ａには、室外に臨む見付け面にガスケット装着溝３１ｄ，３２ｄ，３３ｄ及び押縁係合部３１ｅ，３２ｅ，３３ｅが設けてある。ガスケット装着溝３１ｄ，３２ｄ，３３ｄは、見付けヒレ部３１ａ，３２ａ，３３ａの延在縁部に設けた溝状の凹部であり、個々の枠３１，３２，３３，３４の長手方向に沿って形成してある。本実施の形態では、見付けヒレ部３１ａ，３２ａ，３３ａの延在縁部に室外側に向けて突出部３１ｆ，３２ｆ，３３ｆを形成し、この突出部３１ｆ，３２ｆ，３３ｆの突出端面に開口するようにガスケット装着溝３１ｄ，３２ｄ，３３ｄが設けてある。押縁係合部３１ｅ，３２ｅ，３３ｅは、図７に示す押縁４０を枠３１，３２，３３，３４に係合させるためのものである。本実施の形態では、図５及び図６に示すように、見付けヒレ部３１ａ，３２ａ，３３ａに設けた突出部３１ｆ，３２ｆ，３３ｆと、突出部３１ｆ，３２ｆ，３３ｆから屈曲するように設けた舌片３１ｇ，３２ｇ，３３ｇとによって押縁係合部３１ｅ，３２ｅ，３３ｅが構成してある。舌片３１ｇ，３２ｇ，３３ｇは、突出部３１ｆ，３２ｆ，３３ｆにおいて各開口枠３０Ａ，３０Ｂの外周側に位置する見込み面から外周側に向けて突出したものである。押縁４０は、図７に示すように、カバーヒレ部４０ａ、挟持ヒレ部４０ｂ、傾斜ヒレ部４０ｃ及び係合ヒレ部４０ｄを有したもので、アルミニウム合金等の金属によって成形した押し出し形材である。
【００３２】
押縁４０のカバーヒレ部４０ａは、図２及び図３に示すように、平板状を成し、個々の枠３１，３２，３３，３４の外方基板部３１ｂ，３２ｂ，３３ｂに対向して配置される薄板状部分である。カバーヒレ部４０ａには、当接リブ４０ｅが設けてある。当接リブ４０ｅは、カバーヒレ部４０ａから枠３１，３２，３３，３４の見込み面に向けて突出したものである。本実施の形態では、カバーヒレ部４０ａの室外側に位置する縁部から枠３１，３２，３３，３４の見込み面に向けて突出するように当接リブ４０ｅが設けてある。
【００３３】
押縁４０の挟持ヒレ部４０ｂは、カバーヒレ部４０ａを外方基板部３１ｂ，３２ｂ，３３ｂの内周側に位置する見込み面に対向して配置した場合に、カバーヒレ部４０ａの室外側に位置する縁部から見付け方向に沿って内周側に延在する薄板状部分である。挟持ヒレ部４０ｂの延在縁部には、ガスケット係止突条４０ｆが設けてある。ガスケット係止突条４０ｆは、挟持ヒレ部４０ｂの室内に臨む見付け面から室内に向けて突出した直方体状を成すものである。図からも明らかなように、カバーヒレ部４０ａからの挟持ヒレ部４０ｂの延在長さは、当接リブ４０ｅを外方基板部３１ｂ，３２ｂ，３３ｂの見込み面に当接させた場合に、ガスケット係止突条４０ｆが見付けヒレ部３１ａ，３２ａ，３３ａのガスケット装着溝３１ｄ，３２ｄ，３３ｄに対向した位置となるように設定してある。
【００３４】
押縁４０の傾斜ヒレ部４０ｃは、図２、図３、図７に示すように、カバーヒレ部４０ａの室内側に位置する縁部から内周側に向けて延在した薄板状部分である。この傾斜ヒレ部４０ｃは、内周側に向かうに従って挟持ヒレ部４０ｂとの相互間隔が漸次増大するように傾斜して設けてある。
【００３５】
押縁４０の係合ヒレ部４０ｄは、傾斜ヒレ部４０ｃの延在縁部から挟持ヒレ部４０ｂとほぼ平行となるように延在した部分である。係合ヒレ部４０ｄの延在長さは、当接リブ４０ｅを外方基板部３１ｂ，３２ｂ，３３ｂの見込み面に当接させた場合に枠３１，３２，３３，３４の見付けヒレ部３１ａ，３２ａ，３３ａに設けた押縁係合部３１ｅ，３２ｅ，３３ｅの舌片３１ｇ，３２ｇ，３３ｇに係合することのできる寸法に設定してある。係合ヒレ部４０ｄの延在縁部には、係合突条４０ｇが設けてある。係合突条４０ｇは、係合ヒレ部４０ｄの室外に臨む見付け面から挟持ヒレ部４０ｂに向けて突出した部分である。本実施の形態では、係合ヒレ部４０ｄの延在縁部に向けて漸次突出量が小さくなるように係合突条４０ｇが設けてある。係合突条４０ｇにおいて最も突出した部分の見込み方向に沿った厚さは、枠３１，３２，３３，３４の見付けヒレ部３１ａ，３２ａ，３３ａと押縁係合部３１ｅ，３２ｅ，３３ｅの舌片３１ｇ，３２ｇ，３３ｇとの相互間隔とほぼ等しくなるように設定してある。
【００３６】
上記のように構成した枠体３０に対しては、それぞれの見付けヒレ部３１ａ，３２ａ，３３ａのガスケット装着溝３１ｄ，３２ｄ，３３ｄにガスケット３５を装着する。その後、上部開口枠３０Ａに対しては、外方基板部３１ｂ，３２ｂ，３３ｂに囲まれる部分に室外側からＦＩＸ用ガラス１０を配置し、図８の（ａ）〜（ｄ）に順次示すように、ＦＩＸ用ガラス１０の周縁部表面に見付けヒレ部３１ａ，３２ａ，３３ａのガスケット３５を当接させた状態で見付けヒレ部３１ａ，３２ａ，３３ａに押縁４０を装着すれば、ＦＩＸ窓Ａを構成することができる。
【００３７】
すなわち、図８の（ａ）に示すように、押縁４０の係合ヒレ部４０ｄを見付けヒレ部３１ａ，３２ａ，３３ａと押縁係合部３１ｅ，３２ｅ，３３ｅの舌片３１ｇ，３２ｇ，３３ｇとの間に挿入する。このとき、本実施の形態で適用する押縁４０においては、カバーヒレ部４０ａと係合ヒレ部４０ｄとの間に傾斜ヒレ部４０ｃが設けてあるため、また係合ヒレ部４０ｄに設けた係合突条４０ｇが先端部の板厚を小さく構成しているため、係合ヒレ部４０ｄを見付けヒレ部３１ａ，３２ａ，３３ａと舌片３１ｇ，３２ｇ，３３ｇとの間に挿入する作業を容易に行うことが可能である。
【００３８】
係合ヒレ部４０ｄを見付けヒレ部３１ａ，３２ａ，３３ａと舌片３１ｇ，３２ｇ，３３ｇとの間に挿入した状態で、図８の（ｂ）から（ｃ）に示すように、カバーヒレ部４０ａが順次枠３１，３２，３３，３４の見込み面に近接するように押縁４０を回転させ、当接リブ４０ｅを枠３１，３２，３３，３４の見込み面に当接させる。当接リブ４０ｅが枠３１，３２，３３，３４の見込み面に当接した状態においては、係合ヒレ部４０ｄ及び挟持ヒレ部４０ｂがそれぞれ枠３１，３２，３３，３４の見付けヒレ部３１ａ，３２ａ，３３ａと平行となるように配置され、係合ヒレ部４０ｄの係合突条４０ｇが舌片３１ｇ，３２ｇ，３３ｇに当接するとともに、ガスケット係止突条４０ｆが見付けヒレ部３１ａ，３２ａ，３３ａのガスケット３５と対向した位置に配置される。
【００３９】
最後に、図８の（ｄ）に示すように、ＦＩＸ用ガラス１０の表面と挟持ヒレ部４０ｂとの間にガスケット３６を押し込んで装着すれば、ＦＩＸ用ガラス１０が見付けヒレ部３１ａ，３２ａ，３３ａとの間及び押縁４０との間にそれぞれガスケット３５，３６を介在させた状態で見付けヒレ部３１ａ，３２ａ，３３ａと押縁４０との間に挟持されることになる。この状態においては、図２及び図３に示すように、ガスケット３５、３６の弾性力により、押縁４０の挟持ヒレ部４０ｂが室外側に押圧されるため、押縁４０の係合ヒレ部４０ｄが押縁係合部３１ｅ，３２ｅ，３３ｅの舌片３１ｇ，３２ｇ，３３ｇに圧接され、見付けヒレ部３１ａ，３２ａ，３３ａからの押縁４０の脱落が防止される。
【００４０】
上枠３１に対しては、押縁４０を装着した後に押縁４０を介して上枠３１にネジＳを螺合させることによって押縁４０の脱落を防止することが好ましい。また、無目枠３４の外方基板部３１ｂ，３２ｂにセッティングブロックＳＢを配置する場合には、押縁４０の係合ヒレ部４０ｄ及びカバーヒレ部４０ａにおいてセッティングブロックＳＢに対応する部分を予め切除しておけば良い。縦枠３３に装着する押縁４０と上枠３１及び無目枠３４に装着する押縁４０との接合部は、図１に示すように、上枠３１及び無目枠３４に装着する押縁４０の端部間に縦枠３３に装着する押縁４０を配置するようにしても良いし、逆に縦枠３３に装着する押縁４０の端部間に上枠３１及び無目枠３４に装着する押縁４０を配置するようにしても構わない。また、それぞれの押縁４０の端部を４５°の傾斜面を持つように形成し、互いに傾斜面を接合するように配置しても良い。
【００４１】
一方、枠体３０の下部開口枠３０Ｂに対しては、図２に示すように、無目枠３４と可動障子２０の上框２２との間及び下枠３２と可動障子２０の下框２３との間にそれぞれ開閉機構５０を介在させた状態で、外方基板部３１ｂ，３２ｂ，３３ｂに囲まれる部分に室外側から可動障子２０を配置すれば、室外側に開く縦すべり出し窓Ｂを構成することができる。このとき、下部開口枠３０Ｂを構成する無目枠３４、下枠３２及び左右の縦枠３３は、ＦＩＸ窓Ａを構成する枠３１，３２，３３，３４と同じ構成を有したものである。換言すれば、下部開口枠３０Ｂを構成する無目枠３４、下枠３２及び左右の縦枠３３は、上述したようにＦＩＸ用ガラス１０を挟持するための押縁４０が装着されるものである。しかしながら、各枠３１，３２，３３，３４の外方基板部３１ｂ，３２ｂ，３３ｂには、見込み面に押縁４０を装着するための構成が何等も存在しない。従って、補助枠体を装着して可動障子２０と枠３１，３２，３３，３４との干渉を防止する必要がなく、そのまま縦すべり出し窓Ｂを構成することができる。これにより、取り扱い部品点数が増大したり、製造コストが増大する事態を招来することなく、ＦＩＸ窓Ａと縦すべり出し窓Ｂとが上下に並設された段窓を提供することが可能となる。
【００４２】
尚、上述した実施の形態では、上部開口枠３０ＡにＦＩＸ窓Ａを構成し、かつ下部開口枠３０Ｂに縦すべり出し窓Ｂを構成した段窓を例示しているが、本発明は上部開口枠３０Ａに縦すべり出し窓Ｂを構成し、かつ下部開口枠３０ＢにＦＩＸ窓Ａを構成するようにしてももちろん良い。また、開き系窓としては、必ずしも縦すべり出し窓Ｂである必要はなく、横すべり出し窓や開き窓を構成するようにしても良い。さらに、ＦＩＸ窓と開き系窓との組み合わせである必要はなく、図９及び図１０に示す変形例１のように、上下にＦＩＸ窓Ａを構成した段窓を構成することも可能である。図９及び図１０に示す変形例１の建具では、実施の形態の枠体３０をそのまま適用し、下部開口枠３０Ｂに対しても上部開口枠３０Ａと同じＦＩＸ用ガラス１０を支持させたものである。
【００４３】
また、上述した実施の形態及び変形例１では、建具として段窓を例示しているが、必ずしも段窓である必要はなく、枠体３０に方立を設けて連窓を構成するようにしても良い。さらに、図１１及び図１２に示す変形例２のように、枠体３０に可動障子２０′のみを支持させた建具と、図１３及び図１４の変形例３に示すように、枠体３０にＦＩＸ用ガラス１０′のみを支持させた建具との間で枠体３０を共用することも可能である。すなわち、図１１及び図１２に示す変形例２では、図５及び図６に示した枠体３０の上枠３１と可動障子２０′の上框２２との間及び枠体３０の下枠３２と可動障子２０′の下框２３との間にそれぞれ開閉機構５０を介在させた状態で、外方基板部３１ｂ，３２ｂ，３３ｂに囲まれる部分に室外側から可動障子２０′を配置して単層の縦すべり出し窓Ｂ′を構成している。図１３及び図１４に示す変形例３では、図５及び図６に示した枠体３０の外方基板部３１ｂ，３２ｂ，３３ｂに囲まれる部分に室外側からＦＩＸ用ガラス１０′を配置し、ＦＩＸ用ガラス１０′の周縁部表面に見付けヒレ部３１ａ，３２ａ，３３ａのガスケット３５を当接させた状態で上枠３１、下枠３２及び左右の縦枠３３の各見付けヒレ部３１ａ，３２ａ，３３ａに押縁４０を装着して単層のＦＩＸ窓Ａ′を構成している。
【００４４】
尚、変形例１〜変形例３を示す図９〜図１４においては、実施の形態１と同一の構成に同一の符号を付し、かつ実施の形態１に対応する構成には同一の符号に「′」を付してそれぞれの詳細説明を省略している。
【００４５】
さらに、上述した枠体３０においては、図には明示していないが、外方基板部３１ｂ，３２ｂ，３３ｂの見込み方向に沿った寸法を拡大し、見込み方向に沿って複数の面材を支持させれば、複層窓や三層窓を構成することも可能である。
【００４６】
またさらに、上述した実施の形態及び変形例１〜変形例３では、枠３１，３２，３３，３４の見付けヒレ部３１ａ，３２ａ，３３ａとＦＩＸ用ガラス１０，１０′との間及び押縁４０の挟持ヒレ部４０ｂとＦＩＸ用ガラス１０，１０′との間にそれぞれ定形状を成すガスケット３５，３６を介在させるようにしているが、本発明は必ずしもこれに限定されない。例えば、図１５の変形例４に示すように、枠３１，３２，３３，３４の見付けヒレ部３１ａ，３２ａ，３３ａとＦＩＸ用ガラス１０との間及び押縁１４０の挟持ヒレ部１４０ｂとＦＩＸ用ガラス１０との間にそれぞれバックアップ材１３５ａ及びシーリング材１３５ｂを介在させるようにしても良い。
【００４７】
すなわち、図１５の（ａ）に示すように、ＦＩＸ用ガラス１０の周縁部両表面にそれぞれバックアップ材１３５ａを貼り付けた状態で一方のバックアップ材１３５ａを枠３１，３２，３３，３４の見付けヒレ部３１ａ，３２ａ，３３ａに当接させる。次いで、枠３１，３２，３３，３４の見付けヒレ部３１ａ，３２ａ，３３ａに押縁１４０を装着し、押縁１４０の挟持ヒレ部１４０ｂをもう一方のバックアップ材１３５ａに圧接させる。適用する押縁１４０としては、実施の形態１と同様のものでも良いが、変形例４では、挟持ヒレ部１４０ｂにガスケット係止突条を有していないものを適用している。押縁１４０を見付けヒレ部３１ａ，３２ａ，３３ａに装着する方法は、実施の形態１と同様、係合ヒレ部１４０ｄを見付けヒレ部３１ａ，３２ａ，３３ａと舌片３１ｇ，３２ｇ，３３ｇとの間に挿入した状態で、カバーヒレ部が順次枠３１，３２，３３，３４の見込み面に近接するように押縁１４０を回転させ、当接リブ１４０ｅを枠３１，３２，３３，３４の見込み面に当接させれば良い。この状態から図１５の（ｂ）に示すように、ＦＩＸ用ガラス１０と見付けヒレ部３１ａ，３２ａ，３３ａとの間及びＦＩＸ用ガラス１０と押縁１４０の挟持ヒレ部１４０ｂとの間にそれぞれ気密及び水密用のシーリング材１３５ｂを充填して硬化させれば、ＦＩＸ窓Ａ″を構成することができる。
【符号の説明】
【００４８】
１０，１０′  ＦＩＸ用ガラス、２０，２０′  可動障子、３０  枠体、３０Ａ，３０Ｂ  開口枠、３１  上枠、３１ａ，３２ａ，３３ａ  見付けヒレ部、３１ｄ，３２ｄ，３３ｄ  ガスケット装着溝、３１ｅ，３２ｅ，３３ｅ  押縁係合部、３１ｆ，３２ｆ，３３ｆ  突出部、３２  下枠、３３  縦枠、３４  無目枠、３５，３６  ガスケット、４０  押縁、４０ａ  カバーヒレ部、４０ｂ  挟持ヒレ部、４０ｄ  係合ヒレ部、５０  開閉機構、Ａ，Ａ′，Ａ″  ＦＩＸ窓、Ｂ，Ｂ′  縦すべり出し窓
【図１】
0006513011.tif 000002
【図２】
0006513011.tif 000003
【図３】
0006513011.tif 000004
【図４】
0006513011.tif 000005
【図５】
0006513011.tif 000006
【図６】
0006513011.tif 000007
【図７】
0006513011.tif 000008
【図８】
0006513011.tif 000009
【図９】
0006513011.tif 000010
【図１０】
0006513011.tif 000011
【図１１】
0006513011.tif 000012
【図１２】
0006513011.tif 000013
【図１３】
0006513011.tif 000014
【図１４】
0006513011.tif 000015
【図１５】
0006513011.tif 000016